【手続補正書】
【提出日】平成29年4月25日(2017.4.25)
【手続補正１】
【補正対象書類名】明細書
【補正対象項目名】００９８
【補正方法】変更
【補正の内容】
【００９８】
これらの様々な例示的な実施形態の説明は、例示および説明を目的として提示されているが、包括的なものとなるようには、または開示される形態の実施形態に限定されるようには意図されない。当業者には、多数の変更形態および変形形態が明らかであろう。さらに、様々な例示的な実施形態が、他の例示的な実施形態と比べて異なる特徴を提供してもよい。選択された１つまたは複数の実施形態は、実施形態の原理、実際的な応用例を最も良く説明するために、および、当業者の他の者が企図する特定の使用に適するような様々な変更形態を含む様々な実施形態についての開示を理解することが可能となるように、選択および説明される。
また、本発明は以下に記載する態様を含む。
（態様１）
第１の物体による第１の圧縮、および第２の物体による第１の張力のうちの一方を受けると休止位置に戻る付勢デバイスであって、前記第１の張力が、第３の物体の第２の圧縮を引き起こし、前記第１の圧縮が、前記第３の物体の第２の張力を引き起こし、ロッドアセンブリの伸長が、前記第１の張力および前記第２の圧縮と同時に起こり、前記ロッドアセンブリの伸長が、前記第２の張力および前記第１の圧縮と同時に起こる、前記付勢デバイスを備える、ロッドアセンブリ。
（態様２）
前記第１の物体が、管状ハウジング構成要素内に部分的に配置され、前記付勢デバイスの第１の端部に取り付けられる、第１のシャフトである、態様１に記載のロッドアセンブリ。
（態様３）
前記第２の物体が、管状ハウジング構成要素内に部分的に配置され、前記付勢デバイスの第２の端部に取り付けられる、第２のシャフトである、態様１に記載のロッドアセンブリ。
（態様４）
前記管状ハウジング構成要素に対する前記第１のシャフトの第１の位置への第１の調節が、結果的に前記第３の物体の第３の圧縮になり、前記管状ハウジング構成要素に対する前記第２のシャフトの第２の位置への第２の調節が、結果的に前記第３の物体の第３の張力になる、態様２に記載のロッドアセンブリ。
（態様５）
前記付勢デバイスが、弾性デバイスである、態様１に記載のロッドアセンブリ。
（態様６）
前記付勢デバイスが、エラストマデバイスである、態様１に記載のロッドアセンブリ。
（態様７）
前記付勢デバイスが、既知の弾性力特性を有するばねであり、
前記既知の弾性力特性が、ばね定数である、
態様１に記載のロッドアセンブリ。
（態様８）
前記ロッドアセンブリが、締め付けデバイスと共に使用され、
前記締め付けデバイスが、前記第２の圧縮を前記第３の物体に加え、前記第２の張力を前記第３の物体に加える、
態様１に記載のロッドアセンブリ。
（態様９）
前記第２のシャフトが、前記ばね定数に較正され、
前記ばねに掛けられている張力レベルが、前記管状ハウジング構成要素の外に突き出る前記第２のシャフトの長さを観察することから決定される、
態様７に記載のロッドアセンブリ。
（態様１０）
締め付けおよび保持により少なくとも１つの物体を保有および解放するのに必要な力の量を制御する方法であって、
ロッドアセンブリを締め付けデバイスに取り付けることであって、前記締め付けデバイスが、第１の張力および第１の圧縮のうちの一方を物体に加えるための顎を備え、前記締め付けデバイスが、引かれると前記顎が前記第１の圧縮を前記物体に加え、押されると前記顎が前記第１の張力を前記物体に加える、ハンドルをさらに備える、取り付けること、
第２の張力が前記ロッドアセンブリの第２のシャフト上に表示されるマーカ上に提示されるまで、前記ロッドアセンブリの付勢デバイスの前記第２の張力を設定するために、前記ロッドアセンブリの第１のシャフト上のカップリングナットを回転させることであって、前記ハンドルが引かれると、前記第２の張力が前記物体に対して第２の圧縮を引き起こす、回転させること、ならびに
前記ロッドアセンブリによって掛けられる第３の圧縮を設定するために、前記ロッドアセンブリの前記第１のシャフトを回転させることであって、前記ハンドルが押されると、前記ロッドアセンブリにより掛けられる前記第３の圧縮が前記物体に対して第３の張力を引き起こし、前記カップリングナットを回転させることで、前記第２の張力および前記第２の圧縮の設定と同時に、および前記第３の圧縮および前記第３の張力の設定と同時に、前記ロッドアセンブリの長さをさらに調節する、回転させること、
を含む、方法。
（態様１１）
前記ロッドアセンブリが、管状ハウジング構成要素内部に置かれた前記付勢デバイスを備え、前記付勢デバイスの対向する端部で前記管状ハウジング構成要素内部に部分的に置かれる前記第１のシャフトおよび前記第２のシャフトをさらに備え、前記第１のシャフトおよび前記第２のシャフトのそれぞれが、前記付勢デバイスの近接端部に取り付けられる、態様１０に記載の方法。
（態様１２）
前記付勢デバイスが、ばねである、態様１０に記載の方法。
（態様１３）
前記第２のシャフト上に表示される前記マーカが、前記付勢デバイスのばね定数に較正される、態様１０に記載の方法。
（態様１４）
前記管状ハウジング構成要素が、一方の端部の内側をねじ切りされ、前記第１のシャフトが、外側をねじ切りされ、前記第１のシャフトが、内側をねじ切りされた前記管状ハウジング構成要素の前記端部において前記管状ハウジング構成要素内にねじ込み式に取り付けられる、態様１０に記載の方法。
【手続補正２】
【補正対象書類名】特許請求の範囲
【補正対象項目名】全文
【補正方法】変更
【補正の内容】
【特許請求の範囲】
【請求項１】
ロッドアセンブリ（２０２）と締め付けデバイス（１２１２）とを備えるシステム（１００）であって、前記ロッドアセンブリ（２０２）が、前記締め付けデバイス（１２１２）に取り付けられ、前記ロッドアセンブリ（２０２）が、第１のシャフト（２０６）、第２のシャフト（２０８）、および、付勢デバイス（２０４）を備え、
前記付勢デバイス（２０４）は、前記第１のシャフト（２０６）による第１の圧縮を受けると休止位置に戻るように構成されており、
前記ロッドアセンブリ（２０２）は、前記第２のシャフト（２０８）による第１の張力であって、前記締め付けデバイス（１２１２）による物体（１２３８）の第２の圧縮を引き起こす第１の張力を提供するように構成されており、
前記第１の圧縮は、前記締め付けデバイス（１２１２）による前記物体（１２３８）の第２の張力を引き起こし、
前記ロッドアセンブリ（２０２）の伸長が、前記第１の張力および前記第２の圧縮と同時に起こり、前記ロッドアセンブリ（２０２）の伸長が、前記第２の張力および前記第１の圧縮と同時に起こり、
前記第１のシャフト（２０６）が、管状ハウジング構成要素（２１４）内に部分的に配置され、前記付勢デバイス（２０４）の第１の端部に取り付けられており、
前記第２のシャフト（２０８）が、前記管状ハウジング構成要素（２１４）内に部分的に配置され、前記付勢デバイス（２０４）の第２の端部に取り付けられており、
前記付勢デバイス（２０４）は、前記管状ハウジング構成要素（２１４）内に配置されており、
前記管状ハウジング構成要素（２１４）が、一方の端部の内側をねじ切りされており、前記第１のシャフト（２０６）が、外側をねじ切りされており、前記第１のシャフト（２０６）が、内側をねじ切りされた前記管状ハウジング構成要素（２１４）の前記端部において前記管状ハウジング構成要素（２１４）内にねじ込み式に取り付けられている、
システム（１００）。
【請求項２】
前記ロッドアセンブリ（２０２）が、前記物体（１２３８）の第３の圧縮をもたらす前記管状ハウジング構成要素（２１４）に対する前記第１のシャフト（２０６）の第１の位置への第１の調節、および、前記物体（１２３８）の第３の張力をもたらす前記管状ハウジング構成要素（２１４）に対する前記第２のシャフト（２０８）の第２の位置への第２の調節するように構成されている、請求項１に記載のシステム（１００）。
【請求項３】
前記付勢デバイス（２０４）が、弾性デバイスである、請求項１又は２に記載のシステム（１００）。
【請求項４】
前記付勢デバイス（２０４）が、エラストマデバイスである、請求項１から３のいずれか一項に記載のシステム（１００）。
【請求項５】
前記付勢デバイス（２０４）が、既知の弾性力特性を有するばねであり、
前記既知の弾性力特性が、ばね定数である、
請求項１から４のいずれか一項に記載のシステム（１００）。
【請求項６】
請求項１に記載の前記システム（１００）を使用して、締め付けおよび保持により少なくとも１つの物体（１２３８）を保有および解放するのに必要な力の量を制御する方法であって、
前記締め付けデバイス（１２１２）が、第１の張力および第１の圧縮のうちの一方を、前記締め付けデバイス（１２１２）によって把持および解放される物体（１２３８）に加えるための顎を備え、前記締め付けデバイス（１２１２）が、引かれると前記顎が前記第１の圧縮を前記物体（１２３８）に加え、押されると前記顎が前記第１の張力を前記物体（１２３８）に加える、ハンドル（１２０６）をさらに備える、取り付けること、
第２の張力が前記ロッドアセンブリ（２０２）の第２のシャフト（２０８）上に表示されるマーカ（２３２、２３４、２３６）上に提示されるまで、前記ロッドアセンブリ（２０２）の前記付勢デバイス（２０４）の前記第２の張力を設定するために、前記ロッドアセンブリ（２０２）の第１のシャフト（２０６）上のカップリングナット（２２０）を回転させることであって、前記ハンドル（１２０６）が引かれると、前記第２の張力が前記物体（１２３８）に対して第２の圧縮を引き起こす、回転させること、ならびに
前記ロッドアセンブリ（２０２）によって掛けられる第３の圧縮を設定するために、前記ロッドアセンブリ（２０２）の前記第１のシャフト（２０６）を回転させることであって、前記ハンドル（１２０６）が押されると、前記ロッドアセンブリ（２０２）により掛けられる前記第３の圧縮が前記物体（１２３８）に対して第３の張力を引き起こし、前記カップリングナット（２２０）を回転させることで、前記第２の張力および前記第２の圧縮の設定と同時に、および前記第３の圧縮および前記第３の張力の設定と同時に、前記ロッドアセンブリ（２０２）の長さをさらに調節する、回転させること、
を含む、方法。
【請求項７】
前記第１のシャフト（２０６）および前記第２のシャフト（２０８）は、前記付勢デバイス（２０４）の対向する端部に配置されている、請求項６に記載の方法。
【請求項８】
前記付勢デバイス（２０４）が、ばねである、請求項６又は７に記載の方法。
【請求項９】
前記第２のシャフト（２０８）上に表示される前記マーカ（２３２、２３４、２３６）が、前記付勢デバイス（２０４）のばね定数に較正される、請求項６から８のいずれか一項に記載の方法。
【請求項１０】
前記ばねに掛けられている張力レベルが、前記管状ハウジング構成要素（２１４）の外に突き出る前記第２のシャフト（２０８）の長さを観察することから決定される、請求項９に記載の方法。